(57)【要約】【課題】  ウェラブルデバイスを使用して、比較的長時間の心理状態測定を可能とする。【解決手段】  ウェラブルデバイス１−ｉは、心理状態の測定対象となるユーザー１０１−ｉに装着され、ユーザー１０１−ｉの音声を集音するマイクロフォン１１と、集音された音声に基づいてユーザーの心理状態を測定する音声解析部１２とを備える。制御装置３は、（ａ）初期化処理において、常駐集音装置２により音声が集音されたユーザー１０１−ｉとユーザー１０１−ｉのウェラブルデバイス１−ｉとを関連付け、（ｂ）心理状態測定時において、常駐集音装置２により音声が集音されたユーザー１０１−ｉのウェラブルデバイス１−ｉに対して電源オン要求をただちに送信し、ウェラブルデバイス１−ｉは、電源オン要求を受信すると、音声解析部１２を電源オン状態としてユーザー１０１−ｉの心理状態の測定を開始する。【選択図】  図２
2020134910.tif 000002
【特許請求の範囲】
【請求項１】
心理状態の測定対象となるユーザーに装着され、前記ユーザーの音声を集音するマイクロフォンと、集音された前記音声に基づいて前記ユーザーの心理状態を測定する音声解析部とを備える１または複数のウェラブルデバイスと、
前記ユーザーの音声を集音する常駐集音装置と、
制御装置とを備え、
前記制御装置は、（ａ）初期化処理において、前記常駐集音装置により前記音声が集音された前記ユーザーと前記ユーザーの前記ウェラブルデバイスとを関連付け、（ｂ）心理状態測定時において、前記常駐集音装置により前記音声が集音された前記ユーザーの前記ウェラブルデバイスに対して電源オン要求をただちに送信し、
前記ウェラブルデバイスは、（ａ）デフォルト状態で前記音声解析部を電源オフ状態としておき、（ｂ）前記電源オン要求を受信すると、前記音声解析部を電源オン状態として前記ユーザーの心理状態の測定を開始すること、
を特徴とする心理状態測定システム。
【請求項２】
前記制御装置は、（ａ）前記初期化処理において、（ａ１）通信可能なすべての前記ウェラブルデバイスに対して前記電源オン要求を送信し、（ａ２）前記ウェラブルデバイスの前記マイクロフォンにおいて集音された音声を示す音声信号を前記ウェラブルデバイスから取得し、（ａ３）前記常駐集音装置により集音された音声を示す音声信号を取得するとともに、前記常駐集音装置により集音された音声の音源である前記ユーザーの方向を特定し、（ａ４）前記常駐集音装置により前記音声が集音された前記ユーザーの方向と前記ユーザーの前記ウェラブルデバイスとを関連付け、（ｂ）前記心理状態測定時において、（ｂ１）前記常駐集音装置により集音された音声を示す音声信号に基づいて特定される前記ユーザーの方向に関連付けられている前記ウェラブルデバイスを特定し、（ｂ２）特定した前記ウェラブルデバイスに対して電源オン要求をただちに送信することを特徴とする請求項１記載の心理状態測定システム。
【請求項３】
前記制御装置は、（ａ）複数のユーザーの前記ウェラブルデバイスに対して送信した前記電源オン要求の回数に基づいて、前記常駐集音装置により前記音声が集音された前記ユーザーの前記ウェラブルデバイスに対して前記電源オン要求を送信するか否かを判定し、
（ｂ１）当該ユーザーの前記ウェラブルデバイスに対して前記電源オン要求を送信すると判定した場合には、当該ユーザーの前記ウェラブルデバイスに対して前記電源オン要求をただちに送信し、（ｂ２）当該ユーザーの前記ウェラブルデバイスに対して前記電源オン要求を送信しないと判定した場合には、当該ユーザーの前記ウェラブルデバイスに対して前記電源オン要求を送信しないことを特徴とする請求項１記載の心理状態測定システム。
【請求項４】
前記制御装置は、前記常駐集音装置により複数ユーザーの音声が同時に集音された場合、前記複数ユーザーのいずれの前記ウェラブルデバイスに対しても前記電源オン要求を送信しないことを特徴とする請求項１記載の心理状態測定システム。
【請求項５】
前記ウェラブルデバイスは、前記ユーザーの心理状態の測定を開始したときから所定時間後に、前記音声解析部を電源オフ状態に戻すことを特徴とする請求項１記載の心理状態測定システム。
【発明の詳細な説明】
【技術分野】
【０００１】
本発明は、心理状態測定システムに関するものである。
【背景技術】
【０００２】
ある装置は、マイクロフォンなどのセンサーデータから特徴データを抽出し、特徴データから所定の推論モデルに基づいてユーザーの心理状態を判定している（例えば特許文献１参照）。
【先行技術文献】
【特許文献】
【０００３】
【特許文献１】特開２０１４−９４２９１号公報
【発明の概要】
【発明が解決しようとする課題】
【０００４】
しかしながら、上述のような装置がウェラブルデバイスである場合、内蔵電池で動作するため、連続的に動作させると内蔵電池の電力が短時間で減少して動作しなくなってしまい、内蔵電池の交換や充電をせずにユーザーの心理状態データを長時間収集することが困難になってしまう。
【０００５】
本発明は、上記の問題に鑑みてなされたものであり、ウェラブルデバイスを使用して、内蔵電池の交換や充電をせずに比較的長時間の心理状態測定を可能とする心理状態測定システムを得ることを目的とする。
【課題を解決するための手段】
【０００６】
本発明に係る心理状態測定システムは、心理状態の測定対象となるユーザーに装着され、前記ユーザーの音声を集音するマイクロフォンと、集音された前記音声に基づいて前記ユーザーの心理状態を測定する音声解析部とを備える１または複数のウェラブルデバイスと、前記ユーザーの音声を集音する常駐集音装置と、制御装置とを備える。そして、前記制御装置は、（ａ）初期化処理において、前記常駐集音装置により前記音声が集音された前記ユーザーと前記ユーザーの前記ウェラブルデバイスとを関連付け、（ｂ）心理状態測定時において、前記常駐集音装置により前記音声が集音された前記ユーザーの前記ウェラブルデバイスに対して電源オン要求をただちに送信し、前記ウェラブルデバイスは、（ａ）デフォルト状態で前記音声解析部を電源オフ状態としておき、（ｂ）前記電源オン要求を受信すると、前記音声解析部を電源オン状態として前記ユーザーの心理状態の測定を開始する。
【発明の効果】
【０００７】
本発明によれば、ウェラブルデバイスを使用して、内蔵電池の交換や充電をせずに比較的長時間の心理状態測定を可能とする心理状態測定システムが得られる。
【０００８】
本発明の上記又は他の目的、特徴および優位性は、添付の図面とともに以下の詳細な説明から更に明らかになる。
【図面の簡単な説明】
【０００９】
【図１】図１は、本発明の実施の形態に係る心理状態測定システムの構成を示すブロック図である。
【図２】図２は、図１に示す心理状態測定システムにおけるウェラブルデバイス１−ｉおよび制御装置３の電気的な構成を示すブロック図である。
【図３】図３は、図１に示す心理状態測定システムにおける制御装置３の動作を説明するフローチャートである。
【発明を実施するための形態】
【００１０】
以下、図に基づいて本発明の実施の形態を説明する。
【００１１】
図１は、本発明の実施の形態に係る心理状態測定システムの構成を示すブロック図である。図１に示す心理状態測定システムは、１または複数のウェラブルデバイス１−１〜１−Ｎ、常駐集音装置２、および制御装置３を備える。
【００１２】
各ウェラブルデバイス１−ｉ（ｉ＝１，・・・，Ｎ）は、各ユーザー１０１−ｉに装着される。ウェラブルデバイス１−ｉは、例えば、リストバンド、腕時計、首掛け式の社員証（あるいは社員証入れ）などである。常駐集音装置２は、会議室などの特定の居室（つまり、ユーザー１０１−１〜１０１−Ｎが集合する場所）に設置されており、そのユーザー１０１−１〜１０１−Ｎの音声を集音する。例えば、常駐集音装置２としては、音源の方向を特定可能なステレオマイクロフォンが使用される。制御装置３は、所定の無線通信方式（例えばブルートゥース（登録商標））で各ウェラブルデバイス１−ｉとデータ通信可能であって、その無線通信を使用して各ウェラブルデバイス１−ｉの電源制御を行う。
【００１３】
図２は、図１に示す心理状態測定システムにおけるウェラブルデバイス１−ｉおよび制御装置３の電気的な構成を示すブロック図である。
【００１４】
図１および図２に示すように、各ウェラブルデバイス１−ｉは、心理状態の測定対象となるユーザー１０１−ｉに装着され、ユーザー１０１−ｉの音声を集音するマイクロフォン１１と、集音された音声に基づいてユーザー１０１−ｉの心理状態を測定する音声解析部１２とを備える。音声解析部１２は、既知の方法で、音声に基づいてユーザーの心理状態（緊張状態など）を特定する。
【００１５】
さらに、各ウェラブルデバイス１−ｉは、音声解析部１２の測定結果を記憶する不揮発性の記憶装置１３、１次電池または２次電池といった電源部２１、無線通信部２２、および電源管理部２３を備える。無線通信部２２は、所定の無線通信方式で制御装置３と通信可能な無線通信インターフェイスである。電源管理部２３は、電源部２１から音声解析部１２への電力供給のオン／オフを行う電子回路である。音声解析部１２は、マイクロコンピューター、ＡＳＩＣ（Application Specific Integrated Circuit）などで実現される。
【００１６】
制御装置３は、無線通信部３１、音源検知部３２、およびデバイス制御部３３を備える。
【００１７】
無線通信部３１は、所定の無線通信方式で各ウェラブルデバイス１−ｉと選択的に通信可能な無線通信インターフェイスである。
【００１８】
音源検知部３２は、常駐集音装置２により集音されたユーザー１０１−ｉの音声を示す音声信号を常駐集音装置２から取得するとともに、その音声信号から、そのユーザー１０１−ｉの方向（つまり、ウェラブルデバイス１−ｉの方向）を特定する。
【００１９】
デバイス制御部３３は、無線通信部３１を使用して、特定のウェラブルデバイス１−ｉに対して電源オン要求を送信し、特定のウェラブルデバイス１−ｉにおける心理状態測定を開始させる。
【００２０】
なお、音源検知部３２およびデバイス制御部３３は、マイクロコンピューター、ＡＳＩＣなどで実現される。
【００２１】
デバイス制御部３３は、（ａ）初期化処理において、常駐集音装置２により音声が集音されたユーザー１０１−ｉとユーザー１０１−ｉのウェラブルデバイス１−ｉとを関連付け、（ｂ）心理状態測定時において、常駐集音装置２により音声が集音されたユーザー１０１−ｉのウェラブルデバイス１−ｉに対して電源オン要求をただちに送信する。
【００２２】
ウェラブルデバイス１−ｉは、（ａ）電源管理部２３を使用して、デフォルト状態で前記音声解析部を電源オフ状態としておき、（ｂ）無線通信部２２によって電源オン要求を受信すると、電源管理部２３を使用して音声解析部１２を電源オン状態として、音声解析部１２でユーザー１０１−ｉの心理状態の測定を開始する。
【００２３】
なお、そのウェラブルデバイス１−ｉの電源管理部２３は、ユーザー１０１−ｉの心理状態の測定を開始したときから所定時間後に、音声解析部１２を電源オフ状態に戻す。その際、（ａ）ウェラブルデバイス１−ｉは、自律的に所定時間後に、音声解析部１２を電源オフ状態に戻すようにしてもよいし、（ｂ）制御装置３のデバイス制御部３３が電源オン要求の送信から所定時間後に電源オフ要求をウェラブルデバイス１−ｉへ送信し、ウェラブルデバイス１−ｉが電源オフ要求を受信するとただちに音声解析部１２を電源オフ状態に戻すようにしてもよい。
【００２４】
具体的には、初期化処理において、デバイス制御部３３は、（ａ）無線通信部３１を使用して、通信可能なすべてのウェラブルデバイス１ー１〜１−Ｎに対して電源オン要求を送信し、（ｂ）無線通信部３１を使用して、マイクロフォン１１において集音された音声を示す音声信号をウェラブルデバイス１−１〜１−Ｎから取得し、（ｃ）音源検知部３２を使用して、常駐集音装置２により集音された音声を示す音声信号を取得するとともに、常駐集音装置２により集音された音声の音源であるユーザー１０１−ｉの方向を特定し、（ｄ）常駐集音装置２により音声が集音されたユーザー１０１−ｉの方向とユーザー１０１−ｉのウェラブルデバイス１−ｉとを関連付け、これらの対応関係を関連付けデータとして図示せぬ記憶装置に保持する。
【００２５】
また、具体的には、心理状態測定時において、デバイス制御部３３は、（ａ）常駐集音装置２により集音された音声を示す音声信号に基づいて特定されるユーザー１０１−ｉの方向に関連付けられているウェラブルデバイス１−ｉを、関連付けデータに基づいて特定し、（ｂ）特定したウェラブルデバイス１−ｉに対して電源オン要求をただちに送信する。
【００２６】
また、制御装置３のデバイス制御部３３は、（ａ）複数のユーザー１０１−１〜１０１−Ｎのウェラブルデバイス１−１〜１ーＮのそれぞれに対して送信した電源オン要求の回数をウェラブルデバイス１−ｉごとにカウントし、（ｂ）その電源オン要求の回数に基づいて、常駐集音装置２により音声が集音されたユーザー１０１−ｉのウェラブルデバイス１−ｉに対して電源オン要求を送信するか否かを判定するようにしてもよい。その場合、（ｂ１）当該ユーザー１０１−ｉのウェラブルデバイス１−ｉに対して電源オン要求を送信すると判定した場合には、デバイス制御部３３は、当該ユーザー１０１−ｉのウェラブルデバイス１−ｉに対して電源オン要求をただちに送信し、（ｂ２）当該ユーザー１０１−ｉのウェラブルデバイス１−ｉに対して電源オン要求を送信しないと判定した場合には、デバイス制御部３３は、当該ユーザー１０１−ｉのウェラブルデバイス１−ｉに対して電源オン要求を送信しない。また、その場合、具体的には、デバイス制御部３３は、所定時間内の電源オン要求の回数が所定値を超えている場合には電源オン要求を送信せずに、そうではない場合には電源オン要求を送信する。
【００２７】
また、制御装置３のデバイス制御部３３は、常駐集音装置２により複数ユーザーの音声が同時に集音された場合、複数ユーザーのいずれのウェラブルデバイス１−ｉに対しても電源オン要求を送信しないようにしてもよい。その場合、あるユーザー１０１−ｉのウェラブルデバイス１−ｉが別のユーザー１０１−ｊの音声を集音しにくくなる。
【００２８】
次に、上記心理状態測定システムの動作について説明する。図３は、図１に示す心理状態測定システムにおける制御装置３の動作を説明するフローチャートである。
【００２９】
制御装置３の動作開始時に、デバイス制御部３３は、まず、無線通信部３１で、通信可能なウェラブルデバイス１−１〜１−Ｎ（Ｎ＞０）を検出する（ステップＳ１）。
【００３０】
次に、デバイス制御部３３は、初期化処理を実行する（ステップＳ２）。初期化処理では、デバイス制御部３３は、検出したすべてのウェラブルデバイス１−１〜１−Ｎに対して、無線通信部３１を使用して、電源オン要求を送信する。初期化処理では、各ウェラブルデバイス１−ｉにおいて、電源管理部２３は、無線通信部２２によって電源オン要求が受信されると、所定時間だけ音声解析部１２を電源オン状態とし、音声解析部１２は、所定時間だけユーザー１０１−ｉの音声信号をマイクロフォン１１から取得し、無線通信部２２で、制御装置３へ送信する。制御装置３において、デバイス制御部３３は、（ａ）無線通信部３１で、その音声信号を受信するとともに、音源検知部３２で、常駐集音装置２からの音声信号を受け付け、（ｂ）時系列に沿って両者の音声信号を比較して、各タイミングで発声しているユーザー１０１−ｉのウェラブルデバイス１−ｉを特定し、（ｃ）常駐集音装置２からの音声信号に基づいて各タイミングで発生しているユーザー１０１−ｉの方向を特定し、（ｄ）ユーザー１０１−ｉの方向と、そのユーザー１０１−ｉのウェラブルデバイス１−ｉとを関連付けて、関連付けデータとして保持する。
【００３１】
初期化処理の後、デバイス制御部３３は、音源検知部３２を使用して、常駐集音装置２からの音声信号に基づいて、常駐集音装置２によりいずれかのユーザー１０１−ｉの音声が検出されたか否かを監視する（ステップＳ３）。
【００３２】
常駐集音装置２によりいずれかのユーザー１０１−ｉの音声が検出されると、デバイス制御部３３は、常駐集音装置２からの音声信号に基づいて、音源（つまり、発生したユーザー１０１−ｉ）の方向を特定し（ステップＳ４）、その方向に対応するウェラブルデバイス１−ｉを、関連付けデータに基づいて特定する（ステップＳ５）。
【００３３】
そして、デバイス制御部３３は、上述した条件などに基づいて、特定したウェラブルデバイス１−ｉに電源オン要求を送信するか否かを判定する（ステップＳ６）。
【００３４】
特定したウェラブルデバイス１−ｉに電源オン要求を送信すると判定した場合、デバイス制御部３３は、無線通信部３１を使用して、そのウェラブルデバイス１−ｉに電源オン要求を送信する（ステップＳ７）。一方、特定したウェラブルデバイス１−ｉに電源オン要求を送信しないと判定した場合、ステップＳ３に戻り、デバイス制御部３３は、上述の監視を再開する。
【００３５】
他方、各ウェラブルデバイス１−ｉでは、電源管理部２３は、無線通信部２２で電源オン要求が受信されると、所定時間、音声解析部１２を電源オン状態とし、音声解析部１２は、その期間についての、マイクロフォン１１からの音声信号に基づいて心理状態測定結果を生成し記憶装置１３に格納する。このようにして記憶装置１３に格納された心理状態測定結果は、必要に応じて、無線通信部２２や図示せぬＩ／Ｏインターフェイスで、外部装置に出力されたり、ウェラブルデバイス１−ｉの図示せぬ表示装置で表示されたりする。
【００３６】
以上のように、上記実施の形態によれば、ウェラブルデバイス１−１〜１−Ｎは、心理状態の測定対象となるユーザー１０１−１〜１０１−Ｎに装着され、ユーザー１０１−ｉの音声を集音するマイクロフォン１１と、集音された音声に基づいてユーザーの心理状態を測定する音声解析部１２とを備える。そして、制御装置３は、（ａ）初期化処理において、常駐集音装置２により音声が集音されたユーザー１０１−ｉとユーザー１０１−ｉのウェラブルデバイス１−ｉとを関連付け、（ｂ）心理状態測定時において、常駐集音装置２により音声が集音されたユーザー１０１−ｉのウェラブルデバイス１−ｉに対して電源オン要求をただちに送信し、ウェラブルデバイス１−ｉは、（ａ）デフォルト状態で音声解析部１２を電源オフ状態としておき、（ｂ）電源オン要求を受信すると、音声解析部１２を電源オン状態としてユーザー１０１−ｉの心理状態の測定を開始する。
【００３７】
これにより、ウェラブルデバイス１−ｉの電源部２１の電池の電力消費が少なくなるため、ウェラブルデバイス１−ｉを使用して、電池の交換や充電をせずに比較的長時間の心理状態測定が可能となる。つまり、電源部２１の電池の交換や充電の頻度が低くなる。
【００３８】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【産業上の利用可能性】
【００３９】
本発明は、例えば、心理状態の測定に適用可能である。
【符号の説明】
【００４０】
１−１〜１−Ｎ  ウェラブルデバイス
２  常駐集音装置
３  制御装置
１１  マイクロフォン
１２  音声解析部
【図１】
2020134910.tif 000003
【図２】
2020134910.tif 000004
【図３】
2020134910.tif 000005